(57)【要約】【課題】  正確に歩行距離を求めること。【解決手段】  ３軸加速度センサ１によって歩行体の加速度を測定し、歩行検出部２によって、その測定された加速度に変化が生じたか否かを検出する。歩行時間測定部３によって、歩行検出部２で加速度に変化が生じたことを検出した際の検出時間を測定し、この測定された検出時間を歩行時間とする。また、歩行速さ補正部５によって、３軸加速度センサ１で測定された加速度の信号波形のピークトゥピーク幅を測定し、このピークトゥピーク幅のピーク検出周波数を測定し、このピーク検出周波数の高低に応じて、歩行速さ測定設定部４に定められた歩行速さの値を増減することにより、当該歩行速さを補正する。そして、歩行距離演算部６によって、その補正された歩行速さと、歩行時間とを乗算することにより歩行距離を求める。【選択図】      図１
2005049202.tif 000002
【特許請求の範囲】
【請求項１】
加速度センサで歩行体の加速度を測定し、この加速度に基き歩行時間を演算する歩行時間演算装置において、
前記加速度センサで測定された加速度に変化が生じたか否かを検出する歩行検出手段と、
前記歩行検出手段で加速度に変化が生じたことを検出した際の検出時間を測定し、この測定された検出時間を歩行時間とする歩行時間測定手段と
を備えたことを特徴とする歩行時間演算装置。
【請求項２】
請求項１に記載の歩行時間演算装置と、
前記歩行時間演算装置の加速度センサとは別に測定された歩行速さ、及び任意に設定された歩行速さの何れか一方と、前記歩行時間測定手段で得られた歩行時間とを乗算することにより歩行距離を演算する演算手段と
を備えたことを特徴とする歩行時間演算装置を用いた歩行距離演算装置。
【請求項３】
前記歩行検出手段は、
前記加速度センサで測定される加速度の信号波形のピークトゥピーク幅を測定する測定手段と、
前記測定手段で測定されたピークトゥピーク幅の値と、所定のしきい値との比較によって、前記加速度に変化が生じたか否かを求める比較手段と
を備えたことを特徴とする請求項２に記載の歩行時間演算装置を用いた歩行距離演算装置。
【請求項４】
前記加速度センサで測定される加速度の信号波形のピークトゥピーク幅を測定し、このピークトゥピーク幅のピーク検出周波数を測定し、このピーク検出周波数の高低に応じて前記歩行速さの値を増減することにより、当該歩行速さを補正する補正手段
を更に備えたことを特徴とする請求項２に記載の歩行時間演算装置を用いた歩行距離演算装置。
【発明の詳細な説明】
【技術分野】
【０００１】
本発明は、加速度センサで人や動物等の歩行体の加速度を測定し、この加速度に基き歩行時間を演算し、この歩行時間を用いて歩行距離を演算する歩行時間演算装置及びそれを用いた歩行距離演算装置に関する。
【背景技術】
【０００２】
従来、歩行体の歩行距離を計測する装置として、歩数計又は万歩計（登録商標）が知られている。これらの装置として、例えば特許文献１に記載のものがある。この特許文献１の内容においては、歩行体の歩幅を予め計測又は設定しておき、この歩幅と、歩数計等によって演算された歩数との積を算出することによって歩行距離としている。
【特許文献１】特開２００１−１４３０４８号公報
【発明の開示】
【発明が解決しようとする課題】
【０００３】
しかし、上記特許文献１における歩行距離の演算方法においては、次に記述するような問題がある。
（１）歩行体の歩幅を計測又は設定するようになっているが、その値に信憑性がないことである。歩幅を設定するというのは、歩行する本人が自ら推定した値を入力することであり、多くは大凡の感覚で歩幅の値を設定すると推測されるので、信憑性はないと言わざるを得ない。
【０００４】
仮に、歩幅を計測しようとすると、歩行体の両脚にセンサ等を取り付け、一歩踏み出す毎にその間隔を測定するのが現状ではもっとも確からしい方法だが、一般にこの種のセンサ（距離センサ等）は非常に高価であること、また、当該センサは比較的サイズが大きいため両脚に取り付けることによって歩行の邪魔になりやすいこと、更には、両脚の間隔が時間的に絶えず変化するため、その結果から歩幅を求めるのは非常に困難なこと等の理由から現実的に正確な歩幅を計測するのは困難である。
【０００５】
（２）歩数計等による歩数の算出には誤差が生じやすいことである。一般に歩数の算出には、重りの振動回数を適用するか、加速度センサの信号に適当な演算処理を施すことによって加速度の変化が何回生じたかを導く方法が用いられる。
しかし、いずれの方法においても、歩数が、そのまま振動回数又は加速度変化の回数になる保証はない。特に、歩行体の歩行によって生じる加速度の変化は、一般的に鉛直方向に対して最も大きく生じるが、それにもかかわらず歩行テンポとは全く異なる周波数成分を含むなど非常に複雑である。このため、歩行体が１歩踏み出したにも拘わらず、２歩又は３歩と誤って数えたり、全く歩いていないと誤ったりするケースも多々ある。この結果、その誤差が累積され、実際とは全く異なる歩数が計算されることが多い。
【０００６】
上記の（１）及び（２）のことから、歩幅と歩数との積で歩行距離を演算する方法においては、正確に歩行距離を求めることができないという問題がある。
本発明は、このような課題に鑑みてなされたものであり、正確に歩行距離を求めることができる歩行時間演算装置及びそれを用いた歩行距離演算装置を提供することを目的としている。
【課題を解決するための手段】
【０００７】
上記目的を達成するために、本発明の請求項１による歩行時間演算装置は、加速度センサで歩行体の加速度を測定し、この加速度に基き歩行時間を演算する歩行時間演算装置において、前記加速度センサで測定された加速度に変化が生じたか否かを検出する歩行検出手段と、前記歩行検出手段で加速度に変化が生じたことを検出した際の検出時間を測定し、この測定された検出時間を歩行時間とする歩行時間測定手段とを備えたことを特徴としている。
【０００８】
この構成によれば、実際の歩行時には加速度に変化が生じるが、この加速度に変化が生じている場合のみの時間を測定し、これを歩行時間とするようにしたので、正確に歩行時間を測定することができる。
また、本発明の請求項２による歩行時間演算装置を用いた歩行距離演算装置は、請求項１に記載の歩行時間演算装置と、前記歩行時間演算装置の加速度センサとは別に測定された歩行速さ、及び任意に設定された歩行速さの何れか一方と、前記歩行時間測定手段で得られた歩行時間とを乗算することにより歩行距離を演算する演算手段とを備えたことを特徴としている。
【０００９】
この構成によれば、歩行時間演算装置によって正確に測定された歩行時間と、歩行速さとの乗算によって歩行距離を求めるようにしたので、従来の信憑性に欠け又は測定が困難な歩幅と、測定誤差の多い歩数との積で歩行距離を求めるよりも、正確に歩行距離を求めることができる。
また、本発明の請求項３による歩行時間演算装置を用いた歩行距離演算装置は、請求項２において、前記歩行検出手段は、前記加速度センサで測定される加速度の信号波形のピークトゥピーク幅を測定する測定手段と、前記測定手段で測定されたピークトゥピーク幅の値と、所定のしきい値との比較によって、前記加速度に変化が生じたか否かを求める比較手段とを備えたことを特徴としている。
【００１０】
この構成によれば、例えば、加速度センサで測定される加速度の信号波形のピークトゥピーク幅の値が、しきい値よりも大きい場合は、歩行によって加速度の変化が生じたことを検出し、そうでない場合には、加速度の変化が生じなかったことを検出することができる。この歩行検出手段を、ピークトゥピークホールド回路と比較回路とで構成可能なので、歩行検出手段を簡単且つ消費電力の少ない回路で構成することができる。
【００１１】
更に説明すると、本発明の構成の歩行時間演算装置を用いた歩行距離演算装置（本発明装置）と、従来の歩数測定を行う歩行距離演算装置（従来装置）との最も大きな違いは、従来装置が加速度の変化を直接的に参照する処理を行っていたのに対して、本発明装置が加速度の変化の有無に変換した後に参照する処理を行うことにある。従って、歩行によって生じる加速度は一般的に非常に複雑であるが、本発明装置では、加速度変化が有るか無いかに大別すれば充分なので、従来よりも簡単な回路構成で歩行時間すなわち歩行距離を得ることができる。
【００１２】
更に、従来装置では、加速度の変化よりも速い時間間隔（一般には数十ミリ秒程度）で測定値を得る必要があるが、本発明装置では加速度の有無のみ獲得すれば良いので、時間間隔を歩行時間又は歩行距離の精度にのみ依存する形で任意に選択することができる。例えば、歩行ピッチよりも長い時間間隔（数秒程度）でサンプリングしても良い。これら２点のメリットによって、測定系の回路規模と消費電力を従来装置と比較して大幅に低減させることが可能となる。
【００１３】
また、本発明の請求項４による歩行時間演算装置を用いた歩行距離演算装置は、請求項２において、前記加速度センサで測定される加速度の信号波形のピークトゥピーク幅を測定し、このピークトゥピーク幅のピーク検出周波数を測定し、このピーク検出周波数の高低に応じて前記歩行速さの値を増減することにより、当該歩行速さを補正する補正手段を更に備えたことを特徴としている。
【００１４】
この構成によれば、本来的には時々刻々と変化する歩行速さを、精度良く補正することができ、この結果として歩行距離の演算結果の精度を向上させることができる。また、このような補正手段は、上記請求項２で使用した回路を、ほぼそのまま流用することが可能なため、本発明装置全体の回路規模及び消費電流の削減を図ることができる。
【発明の効果】
【００１５】
以上説明したように本発明の歩行時間演算装置及びそれを用いた歩行距離演算装置においては、歩行時間演算装置によって歩行時間を正確に測定可能とし、歩行距離演算装置によって、その正確に測定された歩行時間と、歩行速さとの乗算によって歩行距離を求めるようにしたので、従来の信憑性に欠け又は測定が困難な歩幅と、測定誤差の多い歩数との積で歩行距離を求めるよりも、正確に歩行距離を求めることができるという効果がある。
【発明を実施するための最良の形態】
【００１６】
以下、本発明の実施の形態を、図面を参照して説明する。
（実施の形態）
図１は、本発明の実施の形態に係る歩行距離演算装置の構成を示すブロック図である。
図１に示す歩行距離演算装置は、３軸加速度センサ１と、歩行検出部２と、歩行時間測定部３と、歩行速さ測定設定部４と、歩行速さ補正部５と、歩行距離演算部６とを備えて構成されている。これらの構成要素１〜６の説明を行う。
３軸加速度センサ１は、一般的に知られているＸ，Ｙ，Ｚ軸の３軸が互いに垂直に交わる関係となるように配置された３個の加速度センサを用いたものであり、各加速度センサによって歩行体（ここでは人とする）の加速度を測定し、この測定された加速度の値（加速度値）を歩行検出部２及び歩行速さ補正部５へ出力するものである。
【００１７】
但し、ここで言う加速度センサは、ピエゾ抵抗型、静電容量型など原理はどれであっても良いし、３軸ではなく１軸又は２軸の加速度センサを使用しても良い。本明細書における説明では３軸加速度センサを具体例として適用するが、１軸又は２軸の加速度センサを用いても全く同様に歩行距離を測定することができる。
歩行検出部２は、３軸加速度センサ１で測定された加速度値から、歩行によって加速度の変化が生じているか否かを検出し、この検出結果を歩行時間測定部３へ出力するものである。
歩行時間測定部３は、歩行検出部２の検出結果に基づいて歩行時間の測定を行うものである。
【００１８】
歩行速さ測定設定部４は、歩行体の歩行速さを測定又は設定するものである。ここで言う歩行速さとは、連続歩行時の平均の歩行速さのことである。この歩行速さを測定する手段としては、例えば全地球測位システム（ＧＰＳ）が用いられる。また、歩行速さを、歩行者自らが、予め設定することも可能である。
歩行速さ補正部５は、歩行速さ測定設定部４で定められた歩行速さを、３軸加速度センサ１からの加速度値によって補正するものである。ここで、補正を行うのは、歩行速さ測定設定部４で定められた歩行速さは、本来であれば、早足や、ゆっくり歩きなどの歩行ピッチに応じて変化するので、必要な場合には、歩行速さ補正部５によって歩行速さを補正する。
【００１９】
歩行距離演算部６は、歩行時間測定部３で測定された歩行時間と、歩行速さ補正部５で補正された歩行速さとを乗算することによって歩行距離を求めるものである。
次に、図２に、歩行検出部２の構成例を示し、その説明を行う。
歩行検出部２は、３軸加速度センサ１から出力される加速度値の加速度センサＸ成分７、加速度センサＹ成分８及び加速度センサＺ成分９が、独立に入力される波形整形回路部１０，１１，１２と、ピークトゥピークホールド回路部１３，１４，１５と、加算回路部１６と、比較回路部１７と、しきい値設定部１８とを備えて構成されている。
【００２０】
各波形整形回路部１０〜１２は、入力される加速度値の加速度センサＸ成分７、加速度センサＹ成分８、加速度センサＺ成分９において、上側又は下側に鋭く発生したピークを平滑化するものである。例えば、各波形整形回路部１０〜１２には、図３に一回路例の図を示すように、オペアンプＯｐＡｍｐ（以下、ＯｐＡｍｐという）に、抵抗器Ｒ１，Ｒ２，Ｒ３及びコンデンサＣ１，Ｃ２を組み合わせて構成した周知のローパスフィルタ（ＬＰＦ）が用いられる。この他に図示せぬイコライザ回路やクリッピング回路などを用いることも可能である。
【００２１】
但し、各波形整形回路部１０〜１２は、全て回路が相互に同じでなくても良い。また、場合によっては、各波形整形回路部１０〜１２を適宜省略しても良い。
図２に示す各ピークトゥピークホールド回路部１３〜１５は、各波形整形回路部１０〜１２で平滑化された加速度値の加速度センサＸ成分７、加速度センサＹ成分８、加速度センサＺ成分９のピークトゥピーク幅を求めるものである。但し、各波形整形回路部１０〜１２が省略されている場合は、３軸加速度センサ１から出力される加速度値の加速度センサＸ成分７、加速度センサＹ成分８、加速度センサＺ成分９のピークトゥピーク幅を求める。
【００２２】
例えば、各ピークトゥピークホールド回路部１３〜１５は、図４に一回路例の図を示すように、５つのＯｐＡｍｐに、ダイオードＤ１，Ｄ２と、抵抗器Ｒ４，Ｒ５，Ｒ６と、コンデンサＣ３，Ｃ４とを組み合わせて構成した周知のものが用いられる。各ピークトゥピークホールド回路部１３〜１５は、図４に示す破線枠１９内の回路によって上側ピークを、破線枠２０内の回路によって下側ピークをホールドし、破線枠２１内の差動増幅回路によって、それら上側及び下側ピークのホールド値の差分を求めるようになっている。なお、ピークホールド時間は、コンデンサＣ３及びＣ４の静電容量によって調節可能となっている。
【００２３】
但し、各ピークトゥピークホールド回路部１３〜１５として、図４の構成の他に、ある時間において各波形整形回路部１０〜１２で平滑化された加速度値の加速度センサＸ成分７、加速度センサＹ成分８、加速度センサＺ成分９の実効値を計算し、この計算値を２√２倍することによって求める回路構成も考えられる。
図２に示す加算回路部１６は、各ピークトゥピークホールド回路部１３〜１５で求められた加速度値の加速度センサＸ成分７、加速度センサＹ成分８、加速度センサＺ成分９の各々のピークトゥピーク幅を加算するものである。
【００２４】
但し、加算回路部１６においては、３軸加速度センサ１が、２軸しかない場合には２軸分のみ加算すれば良い。また、１軸しかない場合には加算回路部１６は不要となる。
しきい値設定部１８には、歩行によって加速度の変化が生じたと見なすかどうかを判定するためのしきい値が予め設定される。
比較回路部１７は、加算回路部１６で３軸分の加速度値を加算した加算値と、しきい値設定部１８に設定されたしきい値とを比較し、例えば加算値の方がしきい値より大きい場合には、歩行によって加速度の変化が生じたことを示す「０」を出力し、そうでない場合には、加速度の変化が生じなかったことを示す「１」を出力するようになっている。
【００２５】
従って、しきい値を大きくすれば多少の変化では加速度が変化したとは見なされない。逆に小さくすれば少しの変化でも加速度が変化したと見なされる。このことから、ピークトゥピークホールド回路部１３〜１５のホールド時間は、歩行による加速度の変化を検出するという目的に鑑みると、加速度の変化が生じなくなってから、しきい値を通過するまで１秒程度であることが望ましい。
次に、図５に、歩行時間測定部３の構成例を示し、その説明を行う。
歩行時間測定部３は、積分回路部２２及び歩行時間演算部２３を備えて構成される。タイミングクロック発生部２４は、別の回路構成にて歩行時間測定部３を実現する際に後述するように用いられる。
【００２６】
積分回路部２２は、歩行検出部２の比較回路部１７での比較結果出力される加速度が変化したことを示す値に応じて、時間積分を行い、この積分値を歩行時間演算部２３へ出力するものである。例えば、積分回路部２２は、図６に一回路例の図を示すように、ＯｐＡｍｐに、抵抗器Ｒ８及びコンデンサＣ５を組み合わせると共に、ＯｐＡｍｐの入出力端に、この入出力端を短絡するためのスイッチＳＷ１を組み合わせて構成した回路が用いられる。但し、スイッチＳＷ１は、歩行時間演算部２３へ所定の積分値を出力した時に、ＯＮとなってＯｐＡｍｐの入出力端を短絡することにより、積分値をクリアする。また、本例では比較回路部１７から出力される値が「０」の場合に積分を行い、「１」の場合に積分を行わないようになっている。
【００２７】
歩行時間演算部２３は、積分回路部２２から出力される積分値を、時単位、分単位、秒単位などの定められた時間単位に換算することによって、積分値を歩行時間に変換し、この歩行時間を歩行距離演算部６へ出力するものである。
但し、積分回路部２２は、上記構成の他に、適当なタイミングクロックを発生するタイミングクロック発生部２４を用意しておき、比較回路部１７から取り込まれた回数を「０」及び「１」の各々において、タイミングクロックでカウントアップする方法を用いてもよい。この場合、歩行時間又は歩行距離の精度が、さほど要求されない場合には、タイミングクロックの周期を極めて遅くしても良い。例えば、歩行ピッチよりも遅い周期にすることも可能である。
【００２８】
次に、図７に、歩行速さ補正部５の構成例を示し、その説明を行う。
但し、この歩行速さの補正を行うには、図２に示した加速度値の加速度センサＸ成分７、加速度センサＹ成分８、加速度センサＺ成分９が入力される各波形整形回路部１０〜１２から加算回路部１６までの測定手段を、そのまま構成要素として用いることができる。
従って、加算回路部１６の出力以降の測定手段である図７に示す立ち下がり検出部２５と、立ち下がりレベル設定部２６と、ピーク検出周波数測定部２７と、早足ゆっくり歩き判定部２８とについて説明する。
【００２９】
立ち下がり検出部２５は、加算回路部１６で３軸分の加速度値が加算された加算値の信号波形の立ち下がりを検出し、この検出タイミングをピーク検出周波数測定部２７へ出力するものである。その立ち下がり検出のレベルは、立ち下がりレベル設定部２６に設定されている。
ピーク検出周波数測定部２７は、立ち下がり検出部２５から順次入力される検出タイミング間の時間間隔を測定するものである。この時間間隔の測定結果によって、加算回路部１６の出力のピークの周期又は周波数を測定することができるようになっている。但し、ピークの時間間隔の測定には、上記の歩行時間測定部３で説明したと同様に、積分回路やタイミングクロックによるカウンタ回路が用いられる。
【００３０】
なお、ピーク検出測定に立ち下がり検出方式を用いる理由は、加算回路部１６の出力が次のピークが発生するまで単調に減衰していくことを利用するためである。これにより、チャタリング等に起因する誤検出を防止することが容易となっている。
早足ゆっくり歩き判定部２８は、ピーク検出周波数測定部２７の測定結果に基づいた歩行速さの補正を行い、この補正された歩行速さを歩行距離演算部６へ出力するものである。その歩行速さの補正の方法は、例えば、ピーク検出周波数測定部２７の測定結果が、通常の歩行速さ設定値よりも大きければ歩行速さを大きく、逆に設定値よりも小さければ歩行速さを小さくするといった内容が考えられる。
【００３１】
更に、その歩行速さの補正の他の方法として、立ち下がり検出部２５の代わりに加算回路部１６の出力のピークをコンパレータ等で検出してもよい。また、ピーク検出周波数測定部２７の代わりに適当な時間に渡って検出数をカウントしてもよい。また、補正をさらに精度良く行う場合には、３軸加速度センサ１から出力される加速度センサＸ成分７、加速度センサＹ成分８、加速度センサＺ成分９から歩数又は歩行ピッチを測定することにより補正を行っても良い。
【００３２】
歩行距離演算部６は、早足ゆっくり歩き判定部２８によって補正された歩行速さと、先に説明した歩行時間とを乗算することにより歩行距離を求める。
次に、このような構成の歩行距離演算装置を歩行体に取り付けることによって、その歩行距離を求める場合の動作を、図８に示すフローチャートを参照して説明する。
まず、ステップＳ１において、３軸加速度センサ１によって歩行体の加速度が測定される。この測定においては、３軸分の加速度値である加速度センサＸ成分７、加速度センサＹ成分８及び加速度センサＺ成分９が測定され、歩行検出部２及び歩行速さ補正部５へ出力される。
【００３３】
ステップＳ２において、歩行検出部２で、３軸加速度センサ１で測定された３軸分の加速度値から、歩行による加速度の変化が生じているか否かが検出される。まず、各波形整形回路部１０〜１２に、３軸分の加速度値である加速度センサＸ成分７、加速度センサＹ成分８、加速度センサＺ成分９が入力されると、その上側又は下側に鋭く発生したピークが平滑化され、各ピークトゥピークホールド回路部１３〜１５へ出力される。
【００３４】
各ピークトゥピークホールド回路部１３〜１５においては、その平滑化された加速度センサＸ成分７、加速度センサＹ成分８、加速度センサＺ成分９のピークトゥピーク幅が求められる。この際、上側ピーク及び下側ピークがホールドされ、それら上側及び下側ピークのホールド値の差分が求められることによってピークトゥピーク幅が求められる。
この求められた加速度センサＸ成分７、加速度センサＹ成分８、加速度センサＺ成分９の各々のピークトゥピーク幅は、加算回路部１６で加算される。
【００３５】
この加算値と、しきい値設定部１８に予め設定されたしきい値とが比較回路部１７で比較され、加算値の方がしきい値より大きい場合は、歩行によって加速度の変化が生じたことを示す「０」が歩行時間測定部３へ出力され、そうでない場合には、加速度の変化が生じなかったことを示す「１」が出力される。
次に、ステップＳ３において、歩行時間測定部３で、歩行検出部２の検出結果に基づいて歩行時間が測定される。即ち、積分回路部２２において、歩行検出部２の比較回路部１７から加速度が変化したことを示す値が「０」の場合にのみ積分が行われる。この積分値は、歩行時間演算部２３において、時単位、分単位、秒単位などの定められた時間単位に換算される。これによって、積分値が歩行時間に変換され、この歩行時間が歩行距離演算部６へ出力される。
【００３６】
次に、ステップＳ４において、歩行速さ補正部５で、歩行速さ測定設定部４に設定された歩行速さが、３軸加速度センサ１からの３軸分の加速度値によって補正される。つまり、歩行速さは、本来であれば、早足や、ゆっくり歩きなどの歩行ピッチに応じて変化するので、歩行速さ測定設定部４に予め設定された歩行速さが、必要に応じて補正される。
この歩行速さの補正には、まず、上述した加速度センサＸ成分７、加速度センサＹ成分８、加速度センサＺ成分９が入力される各波形整形回路部１０〜１２から加算回路部１６までの測定手段において、上記ステップＳ２で説明したと同様の処理が行われる。この処理によって得られた３軸分の加速度値の加算値の信号波形立ち下がりが、立ち下がり検出部２５によって検出され、この検出タイミングが順次、ピーク検出周波数測定部２７へ出力される。
【００３７】
ピーク検出周波数測定部２７では、その順次入力される検出タイミング間の時間間隔が測定される。つまり、加算回路部１６の出力のピークの周期又は周波数が測定される。この測定結果が、通常の歩行速さ設定値よりも大きければ歩行速さが大きく、逆に設定値よりも小さければ歩行速さが小さくされるといった補正が行われる。
最後に、ステップＳ５において、上記ステップＳ３で測定された歩行時間と、上記ステップＳ４で補正された歩行速さとが、歩行距離演算部６で乗算されることによって、歩行距離が求められる。
【００３８】
このように、本実施の形態の歩行距離演算装置によれば、３軸加速度センサ１によって歩行体の加速度を測定し、歩行検出部２によって、その測定された加速度に変化が生じたか否かを検出する。歩行時間測定部３によって、歩行検出部２で加速度に変化が生じたことを検出した際の検出時間を測定し、この測定された検出時間を歩行時間とする。また、歩行速さ補正部５によって、３軸加速度センサ１で測定された加速度の信号波形のピークトゥピーク幅を測定し、このピークトゥピーク幅のピーク検出周波数を測定し、このピーク検出周波数の高低に応じて、歩行速さ測定設定部４に定められた歩行速さの値を増減することにより、当該歩行速さを補正する。そして、歩行距離演算部６によって、その補正された歩行速さと、歩行時間とを乗算することにより歩行距離を求めるようにした。
つまり、正確に測定可能とした歩行時間と、歩行速さとの乗算によって歩行距離を求めるようにしたので、従来の信憑性に欠け又は測定が困難な歩幅と、測定誤差の多い歩数との積で歩行距離を求めるよりも、正確に歩行距離を求めることができる。
【図面の簡単な説明】
【００３９】
【図１】本発明の実施の形態に係る歩行距離演算装置の構成を示すブロック図である。
【図２】図１に示す歩行検出部の具体構成例を示すブロック図である。
【図３】図２に示す波形整形回路部の一回路例の図である。
【図４】図２に示すピークトゥピークホールド回路の一回路例の図である。
【図５】図１に示す歩行時間測定部の具体構成例を示すブロック図である。
【図６】図５に示す積分回路部の一回路例の図である。
【図７】図１に示す歩行速さ補正部の具体構成例を示すブロック図である。
【図８】本実施の形態の歩行距離演算装置によって歩行距離を求める場合の動作を説明するためのフローチャートである。
【符号の説明】
【００４０】
１  ３軸加速度センサ
２  歩行検出部
３  歩行時間測定部
４  歩行速さ測定設定部
５  歩行速さ補正部
６  歩行距離演算部
７  加速度センサＸ成分
８  加速度センサＹ成分
９  加速度センサＺ成分
１０〜１２  波形整形回路部
１３〜１５  ピークトゥピークホールド回路部
１６  加算回路部
１７  比較回路部
１８  しきい値設定部
１９  上側ピークホールド回路
２０  下側ピークホールド回路
２１  差動増幅回路
２２  積分回路部
２３  歩行時間演算部
２４  タイミングクロック
２５  立ち下がり検出部
２６  立ち下がりレベル設定部
２７  ピーク検出周波数測定部
２８  早足ゆっくり歩き判定部
【図１】
2005049202.tif 000003
【図２】
2005049202.tif 000004
【図３】
2005049202.tif 000005
【図４】
2005049202.tif 000006
【図５】
2005049202.tif 000007
【図６】
2005049202.tif 000008
【図７】
2005049202.tif 000009
【図８】
2005049202.tif 000010